(57)【要約】【課題】維持管理が容易でそれに要する時間とコストとを抑えて衛生的に保つことができる岩盤浴構造を提供する。【解決手段】基礎床１１は、排水口１１ｂを有し、上面１１ａが排水口１１ｂに向かって下がるよう傾斜している。支持材１２は、基礎床１１の上に設けられている。敷板１３は、厚さ方向に貫通した複数の通気孔を有し、支持材１２により基礎床１１の上方で支持されている。温風ボイラーは、基礎床１１と敷板１３との間に送風可能である。温水ボイラーは、温水を循環可能である。温水管１５は、敷板１３の上に設けられ、温水ボイラーに温水を循環させるよう接続されている。砂利層１６は、敷板１３の上に温水管１５を埋める厚さで設けられている。壁１７は、少なくとも一部が岩盤石１７ａから成り、基礎床１１に対して上方に伸びている。【選択図】図１ 
2005073800.tif 000002
【特許請求の範囲】
【請求項１】
排水口を有し上面が前記排水口に向かって下がるよう傾斜した基礎床と、
前記基礎床の上に設けられた支持材と、
厚さ方向に貫通した複数の通気孔を有し前記支持材により前記基礎床の上方で支持された敷板と、
前記基礎床と前記敷板との間に送風可能な温風ボイラーと、
温水を循環可能な温水ボイラーと、
前記敷板の上に設けられ前記温水ボイラーに温水を循環させるよう接続された温水管と、
前記敷板の上に前記温水管を埋める厚さで設けられた砂利層と、
少なくとも一部が岩盤石から成り前記基礎床に対して上方に伸びる壁とを、
有することを特徴とする岩盤浴構造。
【請求項２】
前記岩盤石はラジウム含有鉱石を含み、
前記砂利層を構成する砂利の少なくとも一部はラジウム含有鉱石から成り、
前記温水管は断面Ｕ字型の棒材の溝部で支持され、
前記浴室の内部に送風する送風装置が天井に設置されていることを、
特徴とする請求項１記載の岩盤浴構造。
【発明の詳細な説明】
【技術分野】
【０００１】
本発明は、温めた砂利の上に横になり、砂利および岩盤により温まる方式の岩盤浴構造に関する。
【背景技術】
【０００２】
従来の岩盤浴構造として、建物の床が下部から順に断熱材、コンクリート層、温水管を埋設したモルタル層、砂利及び炭を混合した温浴層の４層構造から成り、建物内部に蒸気吹出口を設け、ボイラーからの温水を温水管に循環させて温浴層を適温に加温すると共に、蒸気の噴出によって建物内を適温・適湿度に保つものがある（例えば、特許文献１参照）。
【０００３】
【特許文献１】特許第３３９６７７６号公報
【発明の開示】
【発明が解決しようとする課題】
【０００４】
岩盤浴構造では、人体から発生する汗や汚れ、雑菌などが敷き詰めた砂利に付着するため、砂利を洗う必要がある。従来の岩盤浴構造では、砂利をそのまま洗い流すと乾燥させるのに時間と乾燥コストがかかり、浴室から取り出して洗うと砂利の運搬に時間と労力を要するため、いずれの場合にも維持管理に時間とコストがかかるという課題があった。このため、砂利を洗う頻度が最小限に抑えられていることが多く、不衛生になりがちであるという課題があった。
【０００５】
本発明は、このような従来の課題に着目してなされたもので、維持管理が容易でそれに要する時間とコストとを抑えて衛生的に保つことができる岩盤浴構造を提供することを目的としている。
【課題を解決するための手段】
【０００６】
上記目的を達成するために、本発明に係る岩盤浴構造は、排水口を有し上面が前記排水口に向かって下がるよう傾斜した基礎床と、前記基礎床の上に設けられた支持材と、厚さ方向に貫通した複数の通気孔を有し前記支持材により前記基礎床の上方で支持された敷板と、前記基礎床と前記敷板との間に送風可能な温風ボイラーと、温水を循環可能な温水ボイラーと、前記敷板の上に設けられ前記温水ボイラーに温水を循環させるよう接続された温水管と、前記敷板の上に前記温水管を埋める厚さで設けられた砂利層と、少なくとも一部が岩盤石から成り前記基礎床に対して上方に伸びる壁とを、有することを特徴とする。
【０００７】
本発明に係る岩盤浴構造では、温水ボイラーにより温水管に温水を循環させる。循環する温水の熱が温水管を埋める砂利層に伝わり、砂利が温められる。利用者は、温められた砂利の上にござなどを敷き、浴衣などを着衣してその上に横たわり温まることができる。このとき、砂利に水をかけて、温められた砂利により水蒸気を発生させても良い。
【０００８】
使用につれて人体から発生する汗や汚れ、雑菌などが砂利に付着する。砂利に付着した汚れは、ホースで砂利に水をかけ、ブラシで砂利を擦って洗い落とす。洗い流した水は、砂利の隙間から敷板の通気孔を通って、基礎床の上面に流れ落ちる。流れ落ちた水は、基礎床の上面の傾斜に沿って排水口に向かって流れ、排水口から排水される。このように、本発明に係る岩盤浴構造は、洗い流した水を効果的に排水することができるため、砂利に付着した汚れを容易に洗い流すことができる。本発明に係る岩盤浴構造では、砂利を運搬せずにその場で洗って容易に乾燥させることができるため、運搬して洗う場合に比べて維持の時間とコストを抑えることができ、維持管理が容易である。また、砂利を洗った水の排水が容易なため、砂利の乾燥に要する時間と乾燥コストとを抑えることができ、維持管理が容易である。このため、砂利を洗う頻度を増やして、衛生的に保つことができる。
【０００９】
本発明に係る岩盤浴構造は、季節ごとの気候変動により、浴室内の温度が変化する。特に、冬の寒い時期には温水による熱だけでは、浴室内の温度を保つことが困難である。このとき、本発明に係る岩盤浴構造では、温風ボイラーにより基礎床と敷板との間に送風する。送風された温かい空気は、敷板の複数の通気孔から砂利の隙間を通って、浴室内に送られる。これにより、本発明に係る岩盤浴構造は、浴室内の温度の季節による変動が小さくなるよう抑えることができる。
【００１０】
本発明に係る岩盤浴構造では、温水管は、銅などの熱伝導が大きい材質から成ることが好ましい。また、砂利は、ラジウム含有鉱石やトルマリン鉱石などの天然鉱石から成っても、マイナスイオンや遠赤外線を発生するセラミック製の人工ボールから成っていても良い。
【００１１】
本発明に係る岩盤浴構造は、前記岩盤石はラジウム含有鉱石を含み、前記砂利層を構成する砂利の少なくとも一部はラジウム含有鉱石から成り、前記温水管は断面Ｕ字型の棒材の溝部で支持され、前記浴室の内部に送風する送風装置が天井に設置されていることが好ましい。
【００１２】
この構成では、岩盤石および砂利層のラジウム含有鉱石の作用により、細胞を刺激して新陳代謝を活発にし、ホルミシス効果により抗酸化機能を高め、免疫機能を活性化する。また、温水管が溝部で支持されているため、砂利の重量が温水管に偏ってかかったときにも、温水管がずれにくく、破損事故を防止することができる。さらに、浴室の内部に送風する送風装置が設置されているため、浴室内の温度や湿度を均一に保つことができ、また、浴室内の換気を効果的に行うこともできる。
【発明の効果】
【００１３】
本発明によれば、維持管理が容易でそれに要する時間とコストとを抑えて衛生的に保つことができる岩盤浴構造を提供することができる。
【発明を実施するための最良の形態】
【００１４】
以下、図面に基づき、本発明の実施の形態について説明する。
図１乃至図４は、本発明の実施の形態の岩盤浴構造を示している。
図１乃至図４に示すように、岩盤浴構造１０は、基礎床１１と支持材１２と敷板１３と温風ボイラー（図示せず）と温水ボイラー１４と温水管１５と砂利層１６と壁１７と天井１８とを有している。
【００１５】
基礎床１１は、内部に鉄筋が配されたコンクリートベタ基礎から成る。基礎床１１は、上面１１ａの２箇所に排水口１１ｂを有しており、それぞれの排水口１１ｂに連通して排水パイプ１１ｃが設けられている。基礎床１１は、上面１１ａがそれぞれの位置から近い方の排水口１１ｂに向かって下がるよう傾斜している。排水パイプ１１ｃは、排水口１１ｂからやや下向きに傾斜するよう基礎床１１の中に埋め込まれ、建物外部の排水溝に連通している。
【００１６】
支持材１２は、基礎床１１の上に設けられている。支持材１２は、平面の配置が格子点の位置になるよう設けられている。
図２に示すように、敷板１３は鋼板から成り、厚さ方向に貫通した複数の通気孔１３ａを有している。図１に示すように、敷板１３は、支持材１２により基礎床１１の上方で水平に支持されている。敷板１３は、基礎床１１を覆い隠すよう、複数が敷き詰められている。
【００１７】
温風ボイラーは、ジェットヒーターを備え、屋外に設けられている。温風ボイラーは、基礎床１１と敷板１３との間に設けられた送風口１９から、熱風を送風するよう構成されている。
温水ボイラー１４は、２台が屋外に設けられ、温水を生成、貯水して循環するよう構成されている。
【００１８】
温水管１５は、熱伝導が大きい銅製のパイプから成る。図３に示すように、温水管１５は、敷板１３の上を均一にカバーするよう、蛇行して設けられている。温水管１５は、２台の温水ボイラー１４に温水を循環させるよう接続されている。図４に示すように、温水管１５は、棒状支持部材２０により敷板１３の上で支持されている。棒状支持部材２０は、断面矩形型の棒材２０ａの上に断面Ｕ字型の棒材２０ｂを取り付けて形成されている。温水管１５は、断面Ｕ字型の棒材２０ｂの溝部２０ｃで支持されている。
【００１９】
砂利層１６は、ラジウム含有鉱石やトルマリン鉱石などの天然鉱石を含む砂利１６ａから成っている。図１に示すように、砂利層１６は、敷板１３の上に温水管１５を埋める厚さで設けられている。
【００２０】
壁１７は、コンクリートで形成されている。壁１７は、基礎床１１に支持され、基礎床１１から上方に垂直に伸びて形成されている。壁１７は、一つの壁面が基礎床１１から天井１８まで全面に岩盤石１７ａを埋め込んで形成されている。岩盤石１７ａは、ラジウム含有鉱石を含んでいる。他の壁面は、コンクリート壁に木の板を張り付けて形成されている。
【００２１】
なお、岩盤浴構造１０の具体的な一例では、浴室内の床面積は５間×６間の３０坪であり、一度に数十人を収容することができる。また、温風ボイラーからの熱風の温度は１００℃、温水ボイラー１４の温水の温度は１００℃である。温水管１５の内径は２５ｍｍである。砂利層１６の厚さは約５０ｃｍ、壁１７のコンクリートの厚さは３０ｃｍである。
【００２２】
次に、岩盤浴構造１０の作用について説明する。
岩盤浴構造１０では、温水ボイラー１４により温水管１５に温水を循環させる。循環する温水の熱が温水管１５を埋める砂利層１６に伝わり、砂利１６ａが温められる。利用者は、温められた砂利１６ａの上にござなどを敷き、浴衣などを着衣してその上に横たわり温まることができる。
【００２３】
使用につれて人体から発生する汗や汚れ、雑菌などが砂利１６ａに付着する。砂利１６ａに付着した汚れは、ホースやじょうろで砂利１６ａに水をかけ、ブラシで砂利１６ａを擦って洗い落とす。洗い流した水は、砂利１６ａの隙間から敷板１３の通気孔１３ａを通って、基礎床１１の上面１１ａに流れ落ちる。流れ落ちた水は、基礎床１１の上面１１ａの傾斜に沿って排水口１１ｂに向かって流れ、排水口１１ｂから排水される。このように、岩盤浴構造１０は、洗い流した水を効果的に排水することができるため、砂利１６ａに付着した汚れを容易に洗い流すことができる。
【００２４】
岩盤浴構造１０では、砂利１６ａを運搬せずにその場で洗って容易に乾燥させることができるため、運搬して洗う場合に比べて維持の時間とコストを抑えることができ、維持管理が容易である。また、砂利１６ａを洗った水の排水が容易なため、砂利１６ａの乾燥に要する時間と乾燥コストとを抑えることができ、維持管理が容易である。このため、砂利１６ａを洗う頻度を増やして、衛生的に保つことができる。
【００２５】
岩盤浴構造１０は、季節ごとの気候変動により、浴室内の温度が変化する。特に、外気温が０度以下になるような冬の寒い時期には、温水による熱だけでは浴室内の温度を保つことが困難である。このとき、岩盤浴構造１０では、温風ボイラーにより基礎床１１と敷板１３との間に送風する。送風された温かい空気は、敷板１３の複数の通気孔１３ａから砂利１６ａの隙間を通って、浴室内に送られる。これにより、岩盤浴構造１０は、浴室内を急速に温め、浴室内の温度の季節による変動が小さくなるよう抑えることができる。なお、岩盤浴構造１０の具体的な一例では、浴室内の温度を４５℃に保つよう設定されている。
【００２６】
岩盤浴構造１０は、岩盤石１７ａおよび砂利層１６のラジウム含有鉱石の作用により、細胞を刺激して新陳代謝を活発にし、ホルミシス効果により抗酸化機能を高め、免疫機能を活性化することが期待できる。また、天然鉱石が発生する遠赤外線による血流促進、保温持続効果なども期待できる。
【００２７】
図４に示すように、岩盤浴構造１０は、温水管１５が溝部２０ｃで支持されているため、砂利１６ａの重量が温水管１５に偏ってかかったときにも、温水管１５がずれにくく、破損事故を防止することができる。
【００２８】
岩盤浴構造１０では、砂利１６ａに水をかけて、温められた砂利１６ａにより水蒸気を発生させ、湿度を高く一定に保つことができる。このため、浴室内を高温高湿に保って温熱効果を高めることができる。また、砂利１６ａに付着した汚れを洗い流すとき砂利１６ａに水をかけるため、砂利１６ａの洗浄とともに水蒸気を発生させることができ、効率的に湿度を保つことができる。このように、岩盤浴構造１０では、別途水蒸気発生装置を設ける必要がないため、その設置費用を削減することができる。
【００２９】
岩盤浴構造１０では、利用者が汗や汚れを洗い流せるよう、別室にシャワー室が設けられている。これにより、利用者は、雑菌などによる感染症を予防し、体を清潔に保つことができる。
【図面の簡単な説明】
【００３０】
【図１】本発明の実施の形態の岩盤浴構造を示す縦断面図である。
【図２】図１に示す岩盤浴構造の敷板を示す平面図である。
【図３】図１に示す岩盤浴構造の温水管の配置状況を示す平面図である。
【図４】図１に示す岩盤浴構造の温水管の支持状況を示す斜視図である。
【符号の説明】
【００３１】
１０  岩盤浴構造
１１  基礎床
１２  支持材
１３  敷板
１４  温水ボイラー
１５  温水管
１６  砂利層
１７  壁
１８  天井
１９  送風口
【図１】
2005073800.tif 000003
【図２】
2005073800.tif 000004
【図３】
2005073800.tif 000005
【図４】
2005073800.tif 000006